(57)【要約】【課題】放送波をネットワーク経由で加入者宅へ再送信する優れたシステムを構築する。【解決手段】フレームを構成する１または複数のストリームを含む放送波を受信する放送再送信装置は、受信された前記放送波に含まれる前記ストリームを生成し、バッファに蓄積するストリーム生成部と、前記ストリーム生成部によって生成された前記ストリームを前記バッファから読み出し、変調して再送信用放送波を生成する放送波生成部と、受信された前記放送波に含まれる前記フレームのタイミングを検出する検出部と、前記検出部によって検出された前記タイミングに基づいて、前記放送波に含まれるクロックを再生するとともに、前記バッファの蓄積量に基づいて前記クロックの周波数を補正するクロック再生部とを備え、前記クロック再生部によって再生される前記クロックが、前記ストリームの読み出しを含む前記放送波生成部の処理に用いられる。【選択図】図４
2020057951.tif 000002
【特許請求の範囲】
【請求項１】
フレームを構成する１または複数のストリームを含む放送波を受信する放送再送信装置であって、
受信された前記放送波に含まれる前記ストリームを生成し、バッファに蓄積するストリーム生成部と、
前記ストリーム生成部によって生成された前記ストリームを前記バッファから読み出し、読み出した前記ストリームを変調して再送信用放送波を生成する放送波生成部と、
受信された前記放送波に含まれる前記フレームのタイミングを検出する検出部と、
前記検出部によって検出された前記タイミングに基づいて、前記放送波に含まれるクロックを再生するとともに、前記バッファの蓄積量に基づいて前記クロックの周波数を補正するクロック再生部とを備え、
前記クロック再生部によって再生される前記クロックが、前記ストリームの読み出しを含む前記放送波生成部の処理に用いられる、放送再送信装置。
【請求項２】
前記放送再送信装置は、さらに、
前記放送波である衛星放送波を受けて復調し、前記衛星放送波に含まれる前記フレームの一部または全部を含む復調データを出力するチューナを備え、
前記ストリーム生成部は、前記チューナから受けた前記復調データに一部または全部が含まれる前記ストリームを生成し、
前記検出部は、前記チューナから受けた前記復調データに基づいて、前記フレームのタイミングを検出する、請求項１に記載の放送再送信装置。
【請求項３】
前記放送再送信装置は、さらに、
前記ストリーム生成部によって生成された前記ストリームを前記バッファから読み出し、読み出した前記ストリームを含むＩＰパケットを生成し、前記ＩＰパケットを含む再送信用放送波をＩＰ網へ送信するＩＰ通信部を備える、請求項２に記載の放送再送信装置。
【請求項４】
前記放送再送信装置は、さらに、
ＩＰパケットを含む前記放送波であるＩＰ放送波をＩＰ網経由で受信し、受信した前記ＩＰパケットに含まれる前記ストリームを取得し、取得した前記ストリームからフレームを生成して出力するＩＰ通信部を備え、
前記ストリーム生成部は、前記ＩＰ通信部から受けた前記フレームに含まれる前記ストリームをバッファに蓄積し、
前記検出部は、前記ＩＰ通信部から受けた前記フレームに基づいて、前記フレームのタイミングを検出する、請求項１から請求項３のいずれか１項に記載の放送再送信装置。
【請求項５】
フレームを構成する１または複数のストリームを含む放送波である衛星放送波を受けて復調し、前記フレームの一部または全部を含む復調データを出力するチューナと、
ＩＰパケットを含む放送波であるＩＰ放送波を受信し、前記ＩＰパケットに含まれるストリームを取得し、取得したストリームからフレームを生成して出力するＩＰ通信部と、
前記ストリームの出力を選択可能なストリーム生成部と、
前記ストリーム生成部から受けた前記ストリームを変調して再送信用放送波を生成する放送波生成部と、
前記放送波に含まれるクロックを再生し、再生元を選択可能なクロック再生部とを備え、
前記ストリーム生成部による前記出力の選択対象には、前記ストリーム生成部が生成した、前記チューナから受けた前記復調データに一部または全部が含まれる前記ストリームの出力と、前記ＩＰ通信部から受けた前記フレームに含まれる前記ストリームの出力とがあり、
前記クロック再生部によって再生される前記クロックは、前記放送波生成部において用いられ、
前記クロック再生部の前記再生元には、前記チューナから受けた前記復調データと、前記ＩＰ通信部から受けた前記フレームとがある、放送再送信装置。
【請求項６】
前記ストリーム生成部は、前記衛星放送波の通信品質および前記ＩＰ放送波の通信品質に応じて前記出力を選択する、請求項５に記載の放送再送信装置。
【請求項７】
前記放送再送信装置は、さらに、
前記放送波である衛星放送波を受けて復調し、前記フレームの一部または全部を含む復調データを出力するチューナを備え、
前記ストリーム生成部は、前記チューナから受けた復調データに一部または全部が含まれる前記ストリームを生成し、
前記再送信用放送波は、自己または他の前記放送再送信装置における前記チューナが受ける前記衛星放送波に含まれるクロックが再生されたクロックを含む、請求項１から請求項６のいずれか１項に記載の放送再送信装置。
【請求項８】
前記放送波は、高度広帯域衛星デジタル放送の放送波である、請求項１から請求項７のいずれか１項に記載の放送再送信装置。
【請求項９】
第１の放送再送信装置と、
第２の放送再送信装置とを備え、
前記第１の放送再送信装置は、フレームを構成する１または複数のストリームを含む放送波である衛星放送波を受信して復調し、復調データに一部または全部が含まれる前記ストリームを生成し、生成した前記ストリームを含むＩＰパケットを生成し、生成したＩＰパケットを含む放送波であるＩＰ放送波をＩＰ網へ送信し、
前記第２の放送再送信装置は、フレームを含む放送波である衛星放送波を受信して復調し、復調データに一部または全部が含まれるストリームを生成し、
前記第２の放送再送信装置は、前記ＩＰ網を介して前記ＩＰ放送波を受信し、受信した前記ＩＰ放送波から前記ストリームを取得し、
前記第２の放送再送信装置は、加入者網へ送信する再送信用放送波を選択可能であり、
前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがある、放送再送信システム。
【請求項１０】
放送再送信装置における放送再送信方法であって、
フレームを構成する１または複数のストリームを含む放送波を受信するステップと、
受信した前記放送波に含まれる前記ストリームを生成し、バッファに蓄積するステップと、
受信した前記放送波に含まれる前記フレームのタイミングを検出するステップと、
検出した前記タイミングに基づいて、前記放送波に含まれるクロックを再生するステップと、
前記バッファの蓄積量に基づいて前記クロックの周波数を補正するステップと、
生成した前記ストリームを前記バッファから読み出し、読み出した前記ストリームを変調して再送信用放送波を生成するステップとを含み、
前記再送信用放送波を生成するステップにおいて、前記ストリームの読み出しを含む処理に、再生した前記クロックが用いられる、放送再送信方法。
【請求項１１】
放送再送信装置における放送再送信方法であって、
フレームを構成する１または複数のストリームを含む放送波である衛星放送波を受けて復調し、前記フレームの一部または全部を含む復調データを出力するステップと、
ＩＰパケットを含む放送波であるＩＰ放送波を受信し、前記ＩＰパケットに含まれるストリームを取得し、取得したストリームからフレームを生成して出力するステップと、
前記ストリームの出力を選択するステップと、
再生元を選択し、前記放送波に含まれるクロックを再生するステップと、
再生した前記クロックを用いて、出力した前記ストリームを変調して再送信用放送波を生成するステップとを含み、
前記出力を選択するステップにおける選択対象には、出力した前記復調データに一部または全部が含まれる前記ストリームであって生成した前記ストリームの出力と、出力した前記フレームに含まれる前記ストリームの出力とがあり、
前記再生元には、出力した前記復調データと、出力した前記フレームとがある、放送再送信方法。
【請求項１２】
第１の放送再送信装置と、第２の放送再送信装置とを備える放送再送信システムにおける放送再送信方法であって、
前記第１の放送再送信装置が、フレームを構成する１または複数のストリームを含む放送波である衛星放送波を受信して復調し、復調データに含まれる前記ストリームを生成し、生成した前記ストリームを含むＩＰパケットを生成し、生成したＩＰパケットを含む放送波であるＩＰ放送波をＩＰ網へ送信するステップと、
前記第２の放送再送信装置が、フレームを含む放送波である衛星放送波を受信して復調し、復調データに一部または全部が含まれるストリームを生成するステップと、
前記第２の放送再送信装置が、前記ＩＰ網を介して前記ＩＰ放送波を受信し、受信した前記ＩＰ放送波からストリームを取得するステップと、
前記第２の放送再送信装置が、加入者網へ送信する再送信用放送波を選択するステップとを含み、
前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがある、放送再送信方法。
【発明の詳細な説明】
【技術分野】
【０００１】
本発明は、放送再送信装置、放送再送信システムおよび放送再送信方法に関する。
【背景技術】
【０００２】
従来、ＭＭＴＰ（ＭＰＥＧ  Ｍｅｄｉａ  Ｔｒａｎｓｐｏｒｔ  Ｐｒｏｔｏｃｏｌ）パケットを用いてコンテンツを伝送する技術が開発されている。
【０００３】
たとえば、一般社団法人  電波産業会、”デジタル放送におけるＭＭＴによるメディアトランスポート方式  ＡＲＩＢ  ＳＴＤ−Ｂ６０  １．９版”、平成２９年３月２４日（非特許文献１）には、ＭＭＴ方式を用いる放送システムが開示されている。
【０００４】
この放送システムでは、音声情報および映像情報等の番組の情報を含むＭＭＴパケットは、ＩＰパケットのペイロードに格納される。ＩＰパケットは、ＴＬＶ（Ｔｙｐｅ  Ｌｅｎｇｔｈ  Ｖａｌｕｅ）パケットのペイロードに格納される。
【先行技術文献】
【非特許文献】
【０００５】
【非特許文献１】一般社団法人  電波産業会、”デジタル放送におけるＭＭＴによるメディアトランスポート方式  ＡＲＩＢ  ＳＴＤ−Ｂ６０  １．９版”、平成２９年３月２４日
【非特許文献２】Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年８月２９日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉
【非特許文献３】一般社団法人  電波産業会、”高度広帯域衛星デジタル放送の伝送方式  ＡＲＩＢ  ＳＴＤ−Ｂ４４  ２．１版”、平成２８年３月２５日
【発明の概要】
【発明が解決しようとする課題】
【０００６】
一般社団法人  電波産業会、”高度広帯域衛星デジタル放送の伝送方式  ＡＲＩＢ  ＳＴＤ−Ｂ４４  ２．１版”、平成２８年３月２５日（非特許文献３）に開示されている方式に従う高度広帯域衛星デジタル放送等の放送波を、ネットワーク経由で加入者宅へ再送信する優れたシステムを構築することが可能な技術が望まれる。
【０００７】
この発明は、上述の課題を解決するためになされたもので、その目的は、放送波をネットワーク経由で加入者宅へ再送信する優れたシステムを構築することが可能な放送再送信装置および放送再送信方法を提供することである。
【課題を解決するための手段】
【０００８】
（１）上記課題を解決するために、この発明のある局面に係わる放送再送信装置は、フレームを構成する１または複数のストリームを含む放送波を受信する放送再送信装置であって、受信された前記放送波に含まれる前記ストリームを生成し、バッファに蓄積するストリーム生成部と、前記ストリーム生成部によって生成された前記ストリームを前記バッファから読み出し、読み出した前記ストリームを変調して再送信用放送波を生成する放送波生成部と、受信された前記放送波に含まれる前記フレームのタイミングを検出する検出部と、前記検出部によって検出された前記タイミングに基づいて、前記放送波に含まれるクロックを再生するとともに、前記バッファの蓄積量に基づいて前記クロックの周波数を補正するクロック再生部とを備え、前記クロック再生部によって再生される前記クロックが、前記ストリームの読み出しを含む前記放送波生成部の処理に用いられる。
【０００９】
（５）上記課題を解決するために、この発明のある局面に係わる放送再送信装置は、フレームを構成する１または複数のストリームを含む放送波である衛星放送波を受けて復調し、前記フレームの一部または全部を含む復調データを出力するチューナと、ＩＰパケットを含む放送波であるＩＰ放送波を受信し、前記ＩＰパケットに含まれるストリームを取得し、取得したストリームからフレームを生成して出力するＩＰ通信部と、前記ストリームの出力を選択可能なストリーム生成部と、前記ストリーム生成部から受けた前記ストリームを変調して再送信用放送波を生成する放送波生成部と、前記放送波に含まれるクロックを再生し、再生元を選択可能なクロック再生部とを備え、前記ストリーム生成部による前記出力の選択対象には、前記ストリーム生成部が生成した、前記チューナから受けた前記復調データに一部または全部が含まれる前記ストリームの出力と、前記ＩＰ通信部から受けた前記フレームに含まれる前記ストリームの出力とがあり、前記クロック再生部によって再生される前記クロックは、前記放送波生成部において用いられ、前記クロック再生部の前記再生元には、前記チューナから受けた前記復調データと、前記ＩＰ通信部から受けた前記フレームとがある。
【００１０】
（９）上記課題を解決するために、この発明のある局面に係わる放送再送信システムは、第１の放送再送信装置と、第２の放送再送信装置とを備え、前記第１の放送再送信装置は、フレームを構成する１または複数のストリームを含む放送波である衛星放送波を受信して復調し、復調データに一部または全部が含まれる前記ストリームを生成し、生成した前記ストリームを含むＩＰパケットを生成し、生成したＩＰパケットを含む放送波であるＩＰ放送波をＩＰ網へ送信し、前記第２の放送再送信装置は、フレームを含む放送波である衛星放送波を受信して復調し、復調データに一部または全部が含まれるストリームを生成し、前記第２の放送再送信装置は、前記ＩＰ網を介して前記ＩＰ放送波を受信し、受信した前記ＩＰ放送波から前記ストリームを取得し、前記第２の放送再送信装置は、加入者網へ送信する再送信用放送波を選択可能であり、前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがある。
【００１１】
（１０）上記課題を解決するために、この発明のある局面に係わる放送再送信方法は、放送再送信装置における放送再送信方法であって、フレームを構成する１または複数のストリームを含む放送波を受信するステップと、受信した前記放送波に含まれる前記ストリームを生成し、バッファに蓄積するステップと、受信した前記放送波に含まれる前記フレームのタイミングを検出するステップと、検出した前記タイミングに基づいて、前記放送波に含まれるクロックを再生するステップと、前記バッファの蓄積量に基づいて前記クロックの周波数を補正するステップと、生成した前記ストリームを前記バッファから読み出し、読み出した前記ストリームを変調して再送信用放送波を生成するステップとを含み、前記再送信用放送波を生成するステップにおいて、前記ストリームの読み出しを含む処理に、再生した前記クロックが用いられる。
【００１２】
（１１）上記課題を解決するために、この発明のある局面に係わる放送再送信方法は、放送再送信装置における放送再送信方法であって、フレームを構成する１または複数のストリームを含む放送波である衛星放送波を受けて復調し、前記フレームの一部または全部を含む復調データを出力するステップと、ＩＰパケットを含む放送波であるＩＰ放送波を受信し、前記ＩＰパケットに含まれるストリームを取得し、取得したストリームからフレームを生成して出力するステップと、前記ストリームの出力を選択するステップと、再生元を選択し、前記放送波に含まれるクロックを再生するステップと、再生した前記クロックを用いて、出力した前記ストリームを変調して再送信用放送波を生成するステップとを含み、前記出力を選択するステップにおける選択対象には、出力した前記復調データに一部または全部が含まれる前記ストリームであって生成した前記ストリームの出力と、出力した前記フレームに含まれる前記ストリームの出力とがあり、前記再生元には、出力した前記復調データと、出力した前記フレームとがある。
【００１３】
（１２）上記課題を解決するために、この発明のある局面に係わる放送再送信方法は、第１の放送再送信装置と、第２の放送再送信装置とを備える放送再送信システムにおける放送再送信方法であって、前記第１の放送再送信装置が、フレームを構成する１または複数のストリームを含む放送波である衛星放送波を受信して復調し、復調データに含まれる前記ストリームを生成し、生成した前記ストリームを含むＩＰパケットを生成し、生成したＩＰパケットを含む放送波であるＩＰ放送波をＩＰ網へ送信するステップと、前記第２の放送再送信装置が、フレームを含む放送波である衛星放送波を受信して復調し、復調データに一部または全部が含まれるストリームを生成するステップと、前記第２の放送再送信装置が、前記ＩＰ網を介して前記ＩＰ放送波を受信し、受信した前記ＩＰ放送波からストリームを取得するステップと、前記第２の放送再送信装置が、加入者網へ送信する再送信用放送波を選択するステップとを含み、前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがある。
【００１４】
本発明は、このような特徴的な処理部を備える放送再送信装置として実現することができるだけでなく、かかる特徴的な処理のステップをコンピュータに実行させるためのプログラムとして実現することができる。また、本発明は、放送再送信装置の一部または全部を実現する半導体集積回路として実現することができる。
【００１５】
本発明は、このような特徴的な処理部を備える放送再送信システムとして実現することができるだけでなく、かかる特徴的な処理のステップをコンピュータに実行させるためのプログラムとして実現することができる。また、本発明は、放送再送信システムの一部または全部を実現する半導体集積回路として実現することができる。
【発明の効果】
【００１６】
本発明によれば、放送波をネットワーク経由で加入者宅へ再送信する優れたシステムを構築することができる。
【図面の簡単な説明】
【００１７】
【図１】図１は、本発明の第１の実施の形態に係る放送再送信システムの構成を示す図である。
【図２】図２は、本発明の第１の実施の形態に係る放送再送信システムにおいて、放送波によって伝送されるデータのプロトコルスタックの一例を示す図である。
【図３】図３は、本発明の第１の実施の形態に係る放送再送信システムにおいて、放送波によって伝送されるＴＬＶパケットの一例を示す図である。
【図４】図４は、本発明の第１の実施の形態に係る放送再送信システムにおける放送再送信装置の構成を示す図である。
【図５】図５は、本発明の第１の実施の形態に係る放送再送信システムにおいて伝送されるストリームのフレームの一例を示す図である。
【図６】図６は、本発明の第１の実施の形態に係る放送再送信装置におけるバッファの蓄積量の推移を示す図である。
【図７】図７は、本発明の第１の実施の形態に係る放送再送信装置が放送再送信を行う際の動作手順を定めたフローチャートである。
【図８】図８は、本発明の第１の実施の形態に係る放送再送信装置がクロックの周波数を調整する際の動作手順を定めたフローチャートである。
【図９】図９は、本発明の第２の実施の形態に係る放送再送信システムの構成を示す図である。
【図１０】図１０は、本発明の第２の実施の形態に係る放送再送信システムにおける放送再送信装置の構成を示す図である。
【図１１】図１１は、本発明の第２の実施の形態に係る放送再送信システムにおけるＩＰパケットのフォーマットの一例を示す図である。
【図１２】図１２は、本発明の第２の実施の形態に係る放送再送信装置が放送再送信を行う際の動作手順を定めたフローチャートである。
【発明を実施するための形態】
【００１８】
最初に、本発明の実施形態の内容を列記して説明する。
【００１９】
（１）本発明の実施の形態に係る放送再送信装置は、フレームを構成する１または複数のストリームを含む放送波を受信する放送再送信装置であって、受信された前記放送波に含まれる前記ストリームを生成し、バッファに蓄積するストリーム生成部と、前記ストリーム生成部によって生成された前記ストリームを前記バッファから読み出し、読み出した前記ストリームを変調して再送信用放送波を生成する放送波生成部と、受信された前記放送波に含まれる前記フレームのタイミングを検出する検出部と、前記検出部によって検出された前記タイミングに基づいて、前記放送波に含まれるクロックを再生するとともに、前記バッファの蓄積量に基づいて前記クロックの周波数を補正するクロック再生部とを備え、前記クロック再生部によって再生される前記クロックが、前記ストリームの読み出しを含む前記放送波生成部の処理に用いられる。
【００２０】
このような構成により、放送波のクロック再生において、再送信用放送波のクロックの周波数を、フレームのタイミングに基づく簡易な処理で放送波の送信クロックの周波数に合わせることができる。また、バッファの蓄積量に着目してクロックの周波数を補正する構成により、放送波のクロック再生をより正確に行うことができる。そして、チューナから出力される復調データを再変調する構成により、搬送波対雑音比を元の衛星放送波より大きくすることができるため、たとえば加入者宅において、放送再送信装置を介して送信された放送波に含まれる番組を安定して再生することができる。したがって、放送波をネットワーク経由で加入者宅へ再送信する優れたシステムを構築することができる。
【００２１】
（２）好ましくは、前記放送再送信装置は、さらに、前記放送波である衛星放送波を受けて復調し、前記衛星放送波に含まれる前記フレームの一部または全部を含む復調データを出力するチューナを備え、前記ストリーム生成部は、前記チューナから受けた前記復調データに一部または全部が含まれる前記ストリームを生成し、前記検出部は、前記チューナから受けた前記復調データに基づいて、前記フレームのタイミングを検出する。
【００２２】
このような構成により、再送信用放送波のクロックの周波数を、衛星放送波の送信クロックの周波数に合わせることができる。
【００２３】
（３）好ましくは、前記放送再送信装置は、さらに、前記ストリーム生成部によって生成された前記ストリームを前記バッファから読み出し、読み出した前記ストリームを含むＩＰパケットを生成し、前記ＩＰパケットを含む再送信用放送波をＩＰ網へ送信するＩＰ通信部を備える。
【００２４】
このような構成により、再送信用放送波をＩＰ網を介して送信することができるため、たとえば、衛星放送波の受信が困難な地域においても衛星放送波に含まれる番組を再生することができる。
【００２５】
（４）好ましくは、前記放送再送信装置は、さらに、ＩＰパケットを含む前記放送波であるＩＰ放送波をＩＰ網経由で受信し、受信した前記ＩＰパケットに含まれる前記ストリームを取得し、取得した前記ストリームからフレームを生成して出力するＩＰ通信部を備え、前記ストリーム生成部は、前記ＩＰ通信部から受けた前記フレームに含まれる前記ストリームをバッファに蓄積し、前記検出部は、前記ＩＰ通信部から受けた前記フレームに基づいて、前記フレームのタイミングを検出する。
【００２６】
このような構成により、再送信用放送波のクロックの周波数を、ＩＰ放送波のフレームのタイミングに基づく簡易な処理で当該ＩＰ放送波の送信クロックの周波数に合わせることができる。
【００２７】
（５）本発明の実施の形態に係る放送再送信装置は、フレームを構成する１または複数のストリームを含む放送波である衛星放送波を受けて復調し、前記フレームの一部または全部を含む復調データを出力するチューナと、ＩＰパケットを含む放送波であるＩＰ放送波を受信し、前記ＩＰパケットに含まれるストリームを取得し、取得したストリームからフレームを生成して出力するＩＰ通信部と、前記ストリームの出力を選択可能なストリーム生成部と、前記ストリーム生成部から受けた前記ストリームを変調して再送信用放送波を生成する放送波生成部と、前記放送波に含まれるクロックを再生し、再生元を選択可能なクロック再生部とを備え、前記ストリーム生成部による前記出力の選択対象には、前記ストリーム生成部が生成した、前記チューナから受けた前記復調データに一部または全部が含まれる前記ストリームの出力と、前記ＩＰ通信部から受けた前記フレームに含まれる前記ストリームの出力とがあり、前記クロック再生部によって再生される前記クロックは、前記放送波生成部において用いられ、前記クロック再生部の前記再生元には、前記チューナから受けた前記復調データと、前記ＩＰ通信部から受けた前記フレームとがある。
【００２８】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。したがって、放送波をネットワーク経由で加入者宅へ再送信する優れたシステムを構築することができる。
【００２９】
（６）好ましくは、前記ストリーム生成部は、前記衛星放送波の通信品質および前記ＩＰ放送波の通信品質に応じて前記出力を選択する。
【００３０】
このような構成により、通信品質がより良い放送波を選択して出力することができるため、より安定して、番組の配信等のサービスを提供することができる。
【００３１】
（７）好ましくは、前記放送再送信装置は、さらに、前記放送波である衛星放送波を受けて復調し、前記フレームの一部または全部を含む復調データを出力するチューナを備え、
前記ストリーム生成部は、前記チューナから受けた前記復調データに一部または全部が前記ストリームを生成し、前記再送信用放送波は、自己または他の前記放送再送信装置における前記チューナが受ける前記衛星放送波に含まれるクロックが再生されたクロックを含む。
【００３２】
このような構成により、再送信用放送波のクロックの周波数を、他の放送再送信装置からネットワークを介して受信した放送波のクロックの周波数に合わせることで、再送信用放送波のクロックの周波数を、他の放送再送信装置において受信した衛星放送波の送信クロックの周波数に合わせることができる。すなわち、ネットワークを介して衛星放送波のクロックの周波数を伝達し、他の放送再送信装置において受信した衛星放送波を加入者宅へ再送信することができる。
【００３３】
（８）好ましくは、前記放送波は、高度広帯域衛星デジタル放送の放送波である。
【００３４】
このような構成により、再送信用放送波のクロックの周波数を、高度広帯域衛星デジタル放送の放送波において用いられる送信クロックの周波数に合わせることができる。
【００３５】
（９）本発明の実施の形態に係る放送再送信システムは、第１の放送再送信装置と、第２の放送再送信装置とを備え、前記第１の放送再送信装置は、フレームを構成する１または複数のストリームを含む放送波である衛星放送波を受信して復調し、復調データに一部または全部が含まれる前記ストリームを生成し、生成した前記ストリームを含むＩＰパケットを生成し、生成したＩＰパケットを含む放送波であるＩＰ放送波をＩＰ網へ送信し、前記第２の放送再送信装置は、フレームを含む放送波である衛星放送波を受信して復調し、復調データに一部または全部が含まれるストリームを生成し、前記第２の放送再送信装置は、前記ＩＰ網を介して前記ＩＰ放送波を受信し、受信した前記ＩＰ放送波から前記ストリームを取得し、前記第２の放送再送信装置は、加入者網へ送信する再送信用放送波を選択可能であり、前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがある。
【００３６】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。したがって、放送波をネットワーク経由で加入者宅へ再送信する優れたシステムを構築することができる。
【００３７】
（１０）本発明の実施の形態に係る放送再送信方法は、放送再送信装置における放送再送信方法であって、フレームを構成する１または複数のストリームを含む放送波を受信するステップと、受信した前記放送波に含まれる前記ストリームを生成し、バッファに蓄積するステップと、受信した前記放送波に含まれる前記フレームのタイミングを検出するステップと、検出した前記タイミングに基づいて、前記放送波に含まれるクロックを再生するステップと、前記バッファの蓄積量に基づいて前記クロックの周波数を補正するステップと、生成した前記ストリームを前記バッファから読み出し、読み出した前記ストリームを変調して再送信用放送波を生成するステップとを含み、前記再送信用放送波を生成するステップにおいて、前記ストリームの読み出しを含む処理に、再生した前記クロックが用いられる。
【００３８】
このような構成により、放送波のクロック再生において、再送信用放送波のクロックの周波数を、フレームのタイミングに基づく簡易な処理で放送波の送信クロックの周波数に合わせることができる。また、バッファの蓄積量に着目してクロックの周波数を補正する構成により、放送波のクロック再生をより正確に行うことができる。そして、チューナから出力される復調データを再変調する構成により、搬送波対雑音比を元の衛星放送波より大きくすることができるため、たとえば加入者宅において、放送再送信装置を介して送信された放送波に含まれる番組を安定して再生することができる。したがって、放送波をネットワーク経由で加入者宅へ再送信する優れたシステムを構築することができる。
【００３９】
（１１）本発明の実施の形態に係る放送再送信方法は、放送再送信装置における放送再送信方法であって、フレームを構成する１または複数のストリームを含む放送波である衛星放送波を受けて復調し、前記フレームの一部または全部を含む復調データを出力するステップと、ＩＰパケットを含む放送波であるＩＰ放送波を受信し、前記ＩＰパケットに含まれるストリームを取得し、取得したストリームからフレームを生成して出力するステップと、前記ストリームの出力を選択するステップと、再生元を選択し、前記放送波に含まれるクロックを再生するステップと、再生した前記クロックを用いて、出力した前記ストリームを変調して再送信用放送波を生成するステップとを含み、前記出力を選択するステップにおける選択対象には、出力した前記復調データに一部または全部が含まれる前記ストリームであって生成した前記ストリームの出力と、出力した前記フレームに含まれる前記ストリームの出力とがあり、前記再生元には、出力した前記復調データと、出力した前記フレームとがある。
【００４０】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。したがって、放送波をネットワーク経由で加入者宅へ再送信する優れたシステムを構築することができる。
【００４１】
（１２）本発明の実施の形態に係る放送再送信方法は、第１の放送再送信装置と、第２の放送再送信装置とを備える放送再送信システムにおける放送再送信方法であって、前記第１の放送再送信装置が、フレームを構成する１または複数のストリームを含む放送波である衛星放送波を受信して復調し、復調データに含まれる前記ストリームを生成し、生成した前記ストリームを含むＩＰパケットを生成し、生成したＩＰパケットを含む放送波であるＩＰ放送波をＩＰ網へ送信するステップと、前記第２の放送再送信装置が、フレームを含む放送波である衛星放送波を受信して復調し、復調データに一部または全部が含まれるストリームを生成するステップと、前記第２の放送再送信装置が、前記ＩＰ網を介して前記ＩＰ放送波を受信し、受信した前記ＩＰ放送波からストリームを取得するステップと、前記第２の放送再送信装置が、加入者網へ送信する再送信用放送波を選択するステップとを含み、前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがある。
【００４２】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。したがって、放送波をネットワーク経由で加入者宅へ再送信する優れたシステムを構築することができる。
【００４３】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４４】
＜第１の実施の形態＞
図１は、本発明の第１の実施の形態に係る放送再送信システムの構成を示す図である。
【００４５】
図１を参照して、放送再送信システム３０１は、放送再送信装置１０１と、加入者網１０と、複数のＳＴＢ（Ｓｅｔ  Ｔｏｐ  Ｂｏｘ）１３１とを備える。ＳＴＢ１３１は、ＴＶモニタ１３３に接続されている。
【００４６】
なお、放送再送信システム３０１は、複数のＳＴＢ１３１を備える構成に限らず、１つのＳＴＢ１３１を備える構成であってもよい。
【００４７】
放送再送信装置１０１は、たとえば、ケーブルテレビ放送を提供する事業者の局舎１５１に設けられる。ＳＴＢ１３１およびＴＶモニタ１３３は、加入者宅１５２に設けられる。
【００４８】
放送再送信装置１０１には、たとえば、外部アンテナ８１が接続されている。放送再送信装置１０１は、たとえばストリームを含む放送波を受信する。
【００４９】
ストリームは、番組の情報等を含む。番組の情報は、たとえば、音声情報、映像情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）および字幕情報等を含む。
【００５０】
音声情報および映像情報は、たとえば、所定の方式に従って、圧縮および暗号化が施されている。
【００５１】
放送再送信装置１０１は、たとえば、放送局からのストリームを中継するための、図示しない高度広帯域衛星デジタル放送用の放送衛星から送信された放送波である衛星放送波を外部アンテナ８１経由で受信する。
【００５２】
図２は、本発明の第１の実施の形態に係る放送再送信システムにおいて、放送波によって伝送されるデータのプロトコルスタックの一例を示す図である。図２では、ＴＬＶパケットを用いるプロトコルスタックが示されている。
【００５３】
図２を参照して、ＴＬＶパケットは、たとえば、２１６０ｐまたは４３２０ｐ等の規格に従う、４Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ）または８Ｋ  ＵＨＤＴＶ等の送信に用いられることが多い。
【００５４】
図２に示す例では、放送波は、たとえば、ＴＭＣＣ（Ｔｒａｎｓｍｉｓｓｉｏｎ＆Ｍｕｌｔｉｐｌｅｘｉｎｇ  Ｃｏｎｆｉｇｕｒａｔｉｏｎ  Ｃｏｎｔｒｏｌ）情報、ＡＣ情報およびＴＬＶパケットを含む。
【００５５】
図３は、本発明の第１の実施の形態に係る放送再送信システムにおいて、放送波によって伝送されるＴＬＶパケットの一例を示す図である。図３には、データ種別を示す情報が格納されたヘッダを有するパケットの一例である、Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年１０月１２日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉（非特許文献２）の規格に従うＴＬＶパケットのフォーマットが示されている。
【００５６】
ＴＬＶパケットは、ＴＬＶヘッダと、ＴＬＶペイロードとを含む。ＴＬＶヘッダは、「０１」の値が格納された「スタートコード」のフィールド、「将来予約」のフィールド、「パケットタイプ」のフィールド、および「長さ」のフィールドを含み、これらのフィールドの長さは、それぞれ２ビット、６ビット、８ビットおよび１６ビットである。
【００５７】
「パケットタイプ」のフィールドには、「０ｘ０１」、「０ｘ０２」、「０ｘ０３」または「０ｘＦＦ」等の値が格納される。ここで、「０ｘ」で始まる数字は、「０ｘ」以降の数字が１６進数で表されていることを意味する。
【００５８】
「パケットタイプ」のフィールドにおいて「０ｘ０１」が格納される場合、ＴＬＶパケット６１は、ＴＬＶペイロードにおいて、「長さ」のフィールドに格納された値の総データ長となるＩＰｖ４パケットを含む。
【００５９】
また、「パケットタイプ」のフィールドにおいて「０ｘ０２」が格納される場合、ＴＬＶパケット６２は、ＴＬＶペイロードにおいて、「長さ」のフィールドに格納された値の総データ長となるＩＰｖ６パケットを含む。
【００６０】
また、「パケットタイプ」のフィールドにおいて「０ｘ０３」が格納される場合、ＴＬＶパケット６３は、ＴＬＶペイロードにおいて、「長さ」のフィールドに格納された値の総データ長となるＩＰパケットを含む。圧縮ＩＰパケットは、たとえばＩＰヘッダが圧縮されたＩＰパケットである。
【００６１】
また、「パケットタイプ」のフィールドにおいて「０ｘＦＦ」が格納される場合、ＴＬＶパケット６４は、ＴＬＶペイロードにおいて、「長さ」のフィールドに格納された値の総データ長となるヌルデータを含む。以下、ＴＬＶペイロードにおいてヌルデータを含むＴＬＶパケットを、ＴＬＶヌルパケットとも称する。
【００６２】
再び図２を参照して、たとえば、時刻同期用のＮＴＰ（Ｎｅｔｗｏｒｋ  Ｔｉｍｅ  Ｐｒｏｔｏｃｏｌ）データ、ＩＰ−ＳＩデータ、時刻情報、ＭＭＴパケット、またはデータ伝送方式は、ＵＤＰ（Ｕｓｅｒ  Ｄａｔａｇｒａｍ  Ｐｒｏｔｏｃｏｌ）／ＩＰパケットに格納される。ＭＭＴパケットには、映像情報、音声情報、ＭＭＴ−ＳＩデータ、および他の情報が格納される。
【００６３】
ＴＬＶパケット６１〜６３（以下、ＴＬＶ情報パケットとも称する。）は、このようなＵＤＰ／ＩＰパケットを格納する。
【００６４】
再び図１を参照して、放送再送信装置１０１は、放送波から番組の情報を取得し、取得した番組の情報を含む放送波を加入者網１０を介して各加入者宅１５２へ送信する。
【００６５】
ＳＴＢ１３１は、たとえば、放送再送信装置１０１から送信される放送波を加入者網１０を介して受信する。
【００６６】
ＳＴＢ１３１は、放送再送信装置１０１からの放送波を受信すると、受信した放送波から番組の情報を取得し、取得した番組の情報に基づいて音声情報および映像情報をデコードし、デコード後の音声情報および映像情報をＴＶモニタ１３３へ送信する。
【００６７】
ＴＶモニタ１３３は、ＳＴＢ１３１から受信した音声情報および映像情報に基づいて番組を再生する。
【００６８】
図４は、本発明の第１の実施の形態に係る放送再送信システムにおける放送再送信装置の構成を示す図である。
【００６９】
［放送再送信装置］
図４を参照して、放送再送信装置１０１は、チューナ１１と、ストリーム生成部１５と、放送波生成部１６と、クロック再生部１７と、ＶＣＯ（Ｖｏｌｔａｇｅ−Ｃｏｎｔｒｏｌｌｅｄ  Ｏｓｃｉｌｌａｔｏｒ）１８と、検出部１９とを備える。ストリーム生成部１５は、バッファ３１を含む。
【００７０】
ＶＣＯ１８は、基準クロックを生成する。より詳細には、ＶＣＯ１８は、３３．７５７１メガヘルツを含む所定の周波数範囲において、クロック再生部１７から受ける電圧の大きさに応じた周波数を有するクロックを生成することが可能である。
【００７１】
［ストリームの生成］
たとえば、チューナ１１は、衛星放送波を受けて復調し、当該衛星放送波に含まれるフレームの一部または全部を含む復調データを出力する。
【００７２】
より詳細には、チューナ１１は、高度広帯域衛星デジタル放送用の放送衛星から送信された番組の情報等を含む衛星放送波を外部アンテナ８１経由で受信し、受信した衛星放送波に含まれるストリームを取得する。
【００７３】
放送再送信システム３０１における衛星放送波は、たとえば、上述の、番組の情報を含むＴＬＶパケットであるＴＬＶ番組パケット、および協定世界時を用いて装置間における時刻合わせを行うための時刻合わせ情報等を含み、かつＭＭＴ方式に従う。ＮＴＰデータは、時刻合わせ情報の一例である。
【００７４】
具体的には、チューナ１１は、受信した衛星放送波を復調してデジタル信号に変換する。そして、チューナ１１は、当該デジタル信号に基づいて、ＴＬＶ番組パケット、時刻合わせ情報、およびＴＭＣＣ情報の一部または全部等を含む復調データを生成し、生成した復調データをストリーム生成部１５および検出部１９へ出力する。
【００７５】
また、チューナ１１は、たとえば、復調データに対応するクロックをストリーム生成部１５へ出力する。
【００７６】
なお、チューナ１１は、たとえば、取得したストリームのうちの一部または全部を記憶部２１に保存してもよい。
【００７７】
また、チューナ１１は、たとえば、受信した衛星放送波のレベルおよび搬送波対雑音比（Ｃ／Ｎ：ｃａｒｒｉｅｒ  ｔｏ  ｎｏｉｓｅ  ｒａｔｉｏ）等を測定し、測定結果をストリーム生成部１５へ出力するとともに記憶部２１に保存する。
【００７８】
衛星放送波において、フレームを構成する１または複数のストリームが含まれることが規定されている。衛星放送波を用いて、フレームの構造を維持したままストリームの伝送が行われることにより、複数のストリームを効率良く伝送することができる。
【００７９】
フレームには、最大で１６の放送局の番組にそれぞれ対応する複数のストリームを含めることが可能である。各ストリームは、たとえばＴＬＶパケットにおけるＭＭＴパケットに含まれる伝送ストリームＩＤを用いることにより区別される。
【００８０】
図５は、本発明の第１の実施の形態に係る放送再送信システムにおいて伝送されるストリームのフレームの一例を示す図である。図５には、非特許文献３の規格に従うフレームの構造が示されている。
【００８１】
図５は、１つのフレームが３つの放送局の番組にそれぞれ対応する３つのストリームを含む場合を示す。
【００８２】
図５を参照して、フレームは、１２０個のスロットにより構成される。すなわち、１つのストリームには、たとえば４０個のスロットが割り当てられる。たとえば、ストリーム番号ＳＮ１のストリームには、スロット１からスロット４０が割り当てられ、ストリーム番号ＳＮ２のストリームには、スロット４１からスロット８０が割り当てられ、ストリーム番号ＳＮ３のストリームには、スロット８１からスロット１２０が割り当てられる。
【００８３】
スロットには、ストリームが分割されて格納される。また、フレームの時間の長さは、３３ミリ秒である。
【００８４】
スロットは、先頭から順に、４４８８０ビットの復調データと、１６００ビットのＴＭＣＣ情報とを含む。
【００８５】
復調データは、先頭から順に、スロットヘッダ、主信号、ＢＣＨ符号パリティ、スタッフビットおよびＬＤＰＣ（Ｌｏｗ  Ｄｅｎｓｉｔｙ  Ｐａｒｉｔｙ  Ｃｈｅｃｋ）符号パリティのフィールドで構成されている。
【００８６】
スロットヘッダのデータ長は、１７６ビットである。
【００８７】
主信号のデータ長は、可変長である。主信号のフィールドには、１または複数の分割されたＴＬＶパケット等が格納される。
【００８８】
復調データがＴＬＶパケットを含む場合、スロットヘッダの先頭から１６ビットは、先頭ＴＬＶ指示を示す。
【００８９】
先頭ＴＬＶ指示は、各スロットの主信号における最初のＴＬＶパケットの先頭ヘッダの位置を、主信号のフィールドの先頭からのバイト数で示したものである。
【００９０】
ＢＣＨ符号パリティのデータ長は、１９２ビットである。スタッフビットのデータ長は、６ビットである。ＬＤＰＣ符号パリティのデータ長は、可変長である。
【００９１】
ＴＭＣＣ情報は、先頭から順に、２８０ビットの固定長の基本ＴＭＣＣ情報のフィールドと、１３２０ビットの固定長の伝送ＴＭＣＣ情報等が格納されるフィールドとで構成される。
【００９２】
基本ＴＭＣＣ情報のフィールドは、先頭から順に、１２０ビットの固定長の同期信号のフィールドと、１６０ビットの固定長の信号点配置情報のフィールドとを含む。
【００９３】
ＴＭＣＣ情報は、複数のスロットに分割されて格納される。より詳細には、同期信号は、２４スロットにわたり格納される。信号点配置情報は、変調方式の組み合わせに応じて２４スロット〜１２０スロットにわたり格納される。
【００９４】
また、１３２０ビット×７スロットの９２４０ビットと８スロット目の１８２ビットを足し合わせた９４２２ビットの伝送ＴＭＣＣ情報に、ＢＣＨ符号パリティ１９２ビットおよびＬＤＰＣ符号パリティ２２０６６ビットを付加した３１６８０ビットの情報が、２４スロットにわたり格納される。
【００９５】
再び図４を参照して、ストリーム生成部１５は、受信された放送波に含まれるストリームを生成して、バッファ３１に蓄積する。
【００９６】
たとえば、ストリーム生成部１５は、チューナ１１から受けた復調データに一部または全部が含まれるストリームを生成する。
【００９７】
より詳細には、ストリーム生成部１５は、たとえば、チューナ１１からフレームの一部を含む復調データ、たとえばＴＭＣＣ情報が含まれない復調データを受けた場合、当該復調データを保持する。
【００９８】
そして、ストリーム生成部１５は、たとえば、チューナ１１によって保存されたストリームのうちの一部のデータをチューナ１１における記憶部２１から読み出し、読み出した当該一部のデータおよび保持した復調データを合わせることにより、ストリームを生成する。
【００９９】
ストリーム生成部１５は、生成したストリームをバッファ３１に書き込む。バッファ３１は、たとえばＦＩＦＯ（Ｆｉｒｓｔ  Ｉｎ  Ｆｉｒｓｔ  Ｏｕｔ）である。
【０１００】
ストリーム生成部１５は、たとえば、放送波に含まれるクロックすなわちチューナ１１から受けたクロックを用いて、３３．７５６１Ｍｂａｕｄのシンボルレートすなわち３３ミリ秒あたり１１１５５２０シンボルを、フレームに含まれるＴＭＣＣ情報の変調方式に応じたビットレートでバッファ３１に書き込む。
【０１０１】
あるいは、ストリーム生成部１５は、たとえば、チューナ１１からフレームの全部、すなわちストリームの全部を含む復調データを受けた場合、当該ストリームをバッファ３１に書き込む。
【０１０２】
［クロックの調整］
検出部１９は、受信された放送波に含まれるフレームのタイミングを検出する。たとえば、検出部１９は、チューナ１１から受けた復調データに基づいて、フレームのタイミングを検出する。
【０１０３】
より詳細には、検出部１９は、チューナ１１から受けた復調データに含まれるフレームの時間の長さを計測する。具体的には、検出部１９は、チューナ１１から受けた復調データにおけるフレームの先頭タイミングを検出する。
【０１０４】
フレームに含まれる最初のＴＬＶパケットには、ＮＴＰデータが含まれる。検出部１９は、ＮＴＰデータを検出すると、検出したＮＴＰデータが含まれるＴＬＶパケットにおけるＭＭＴパケットを参照することにより、当該ＴＬＶパケットの伝送ストリームＩＤを取得する。
【０１０５】
そして、検出部１９は、上記ＭＭＴパケットに含まれる、伝送ストリームＩＤとフレームに含まれる複数のストリームの番号との対応関係を示すＭＨ−ＳＤＴ（ＭＨ−Ｓｅｒｖｉｃｅ  Ｄｅｓｃｒｉｐｔｉｏｎ  Ｔａｂｌｅ：ＭＨサービス記述テーブル）を用いて、取得した伝送ストリームＩＤがフレームにおけるいずれのストリーム番号に対応しているかを照合する。
【０１０６】
検出部１９は、取得した伝送ストリームＩＤがフレームにおけるストリーム番号ＳＮ１のストリームであった場合、当該ストリームの先頭のＴＬＶパケットにおけるＮＴＰデータが含まれるスロットのスロットヘッダをフレームの先頭であると判断し、フレームの先頭のタイミングを示す情報ＴＩ１をクロック再生部１７へ出力する。
【０１０７】
クロック再生部１７は、検出部１９によって検出されたフレームのタイミングに基づいて、放送波に含まれるクロックを再生する。
【０１０８】
より詳細には、クロック再生部１７は、検出部１９から情報ＴＩ１を受けて、ＶＣＯ１８から受けるクロックのパルスのカウントを開始する。
【０１０９】
そして、クロック再生部１７は、検出部１９から次の情報ＴＩ１を受けると、カウントを停止し、現在のカウント値を保持する。そして、クロック再生部１７は、カウント値をゼロにリセットして、カウントを再開する。
【０１１０】
クロック再生部１７は、保持したカウント値に基づいて、ＶＣＯ１８の発振周波数を調整するためのＶＣＯ１８への出力電圧の大きさを決定する。
【０１１１】
より詳細には、クロック再生部１７は、ＶＣＯ１８が出力するクロックのパルスを１１１５５２０カウントすることにより、フレームが３３ミリ秒より長いか否かを判断し、判断結果に基づいて、ＶＣＯ１８の発振周波数を調整するためのＶＣＯ１８への出力電圧の大きさを決定する。
【０１１２】
具体的には、クロック再生部１７は、たとえば、取得したクロックのカウント値が１１１５５２０より大きい場合、ＶＣＯ１８における発振周波数が小さくなるようにＶＣＯ１８への出力電圧の大きさを決定する。
【０１１３】
また、クロック再生部１７は、たとえば、取得したクロックのカウント値が１１１５５２０より小さい場合、ＶＣＯ１８における発振周波数が大きくなるようにＶＣＯ１８への出力電圧の大きさを決定する。
【０１１４】
なお、クロック再生部１７は、情報ＴＩ１を複数回受けるまでクロックのパルスをカウントし、カウント値に基づいてＶＣＯ１８の発振周波数を調整してもよい。
【０１１５】
ＶＣＯ１８は、クロック再生部１７から受けた電圧の大きさに応じた周波数のクロックを出力する。
【０１１６】
放送波生成部１６は、クロック再生部１７によって再生されたクロックを用いて、ストリーム生成部１５によって生成されたストリームをバッファ３１から読み出す。
【０１１７】
より詳細には、放送波生成部１６は、ＶＣＯ１８から受けたクロックを用いて、バッファ３１に蓄積されたストリームを読み出す。
【０１１８】
このとき、バッファ３１におけるデータの蓄積量は、ＶＣＯ１８から受けたクロックの周波数がバッファ３１に対するストリームの書き込みに用いるクロックの周波数より大きい場合に減少し、ＶＣＯ１８から受けたクロックの周波数がバッファ３１に対するストリームの書き込みに用いるクロックの周波数より小さい場合に増加する。
【０１１９】
そこで、クロック再生部１７は、バッファ３１の蓄積量に基づいてクロックの周波数を補正する。
【０１２０】
より詳細には、クロック再生部１７は、バッファ３１がオーバーフローまたはアンダーフローを起こさないようにバッファ３１におけるデータの蓄積量を監視する。
【０１２１】
図６は、本発明の第１の実施の形態に係る放送再送信装置におけるバッファの蓄積量の推移を示す図である。図６において、横軸は時間を示し、縦軸はバッファの蓄積量を示す。
【０１２２】
図６を参照して、放送波生成部１６は、たとえば、バッファ３１におけるデータの蓄積量が基準値Ｌ０、具体的には３フレーム分を超えるストリームが蓄積された時刻ｔ０において、ストリームの読み出しを開始する。
【０１２３】
クロック再生部１７は、たとえば、検出部１９からの情報ＴＩ１を３０００回受けるたびに、バッファ３１におけるデータの蓄積量を取得する。
【０１２４】
次に、情報ＴＩ１を３０００回受けた時刻ｔ１において、クロック再生部１７は、たとえば、取得した蓄積量が所定の上限値Ｌ１より大きい場合、ＶＣＯ１８における発振周波数が大きくなるようにＶＣＯ１８への出力電圧の大きさを決定する。
【０１２５】
これにより、ＶＣＯ１８から受けるクロックの周波数がバッファ３１に対するストリームの書き込みに用いるクロックの周波数より大きくなることから、バッファ３１におけるデータの蓄積量は減少する。
【０１２６】
次に、情報ＴＩ１を６０００回受けた時刻ｔ２において、クロック再生部１７は、取得した蓄積量が所定の下限値Ｌ２より小さい場合、ＶＣＯ１８における発振周波数が小さくなるようにＶＣＯ１８への出力電圧の大きさを決定する。
【０１２７】
これにより、ＶＣＯ１８から受けるクロックの周波数がバッファ３１に対するストリームの書き込みに用いるクロックの周波数より小さくなることから、バッファ３１におけるデータの蓄積量は増加する。
【０１２８】
クロック再生部１７は、上述のようなクロックの周波数の調整を行うことにより、放送波に含まれるクロックを再生する。
【０１２９】
なお、クロック再生部１７は、所定の上限値Ｌ１または所定の下限値Ｌ２に基づいてデータの蓄積量を監視することでクロックの周波数を補正する構成に限らず、たとえば、所定時間ごとのデータの蓄積量の増減に基づいてデータの蓄積量を監視することでクロックの周波数を補正する構成であってもよい。
【０１３０】
より詳細には、クロック再生部１７は、たとえば、時刻ｔ２において取得した蓄積量が、時刻ｔ１において取得した蓄積量より大きい場合、ＶＣＯ１８における発振周波数が大きくなるようにＶＣＯ１８への出力電圧の大きさを決定する。
【０１３１】
一方、クロック再生部１７は、時刻ｔ２において取得した蓄積量が、時刻ｔ１において取得した蓄積量より小さい場合、ＶＣＯ１８における発振周波数が小さくなるようにＶＣＯ１８への出力電圧の大きさを決定する。
【０１３２】
［再送信用放送波の生成］
放送波生成部１６は、バッファ３１から読み出したストリームを変調して再送信用放送波を生成する。
【０１３３】
より詳細には、放送波生成部１６は、ＶＣＯ１８から受けたクロック、すなわちクロック再生部１７によって再生されたクロックを用いて、たとえば、バッファ３１から読み出したストリームに含まれる伝送ＴＭＣＣ情報に従って、当該ストリームの変調処理を行う。
【０１３４】
そして、放送波生成部１６は、変調後のストリームの周波数をたとえば加入者網１０に対応する周波数に変換して再送信用放送波を生成する。
【０１３５】
これにより、放送波生成部１６は、放送波に含まれるクロックの周波数と同じ周波数のクロックのタイミングに従う再送信用放送波を生成することができる。
【０１３６】
そして、放送波生成部１６は、生成した再送信用放送波をたとえば加入者網１０を介して各加入者宅１５２へ送信する。
【０１３７】
［動作の流れ］
放送再送信システム３０１における各装置は、メモリを含むコンピュータを備え、当該コンピュータにおけるＣＰＵ等の演算処理部は、以下のフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１３８】
図７は、本発明の第１の実施の形態に係る放送再送信装置が放送再送信を行う際の動作手順を定めたフローチャートである。
【０１３９】
図７を参照して、まず、放送再送信装置１０１は、フレームを構成する１または複数のストリームを含む放送波を受信して復調し、フレームの一部または全部を含む復調データを生成する（ステップＳ１０１）。
【０１４０】
次に、放送再送信装置１０１は、生成した復調データに一部または全部が含まれるストリームを生成する（ステップＳ１０２）。
【０１４１】
次に、放送再送信装置１０１は、生成したストリームをバッファ３１に蓄積する（ステップＳ１０３）。
【０１４２】
次に、放送再送信装置１０１は、受信した放送波に含まれるフレームのタイミングを検出する（ステップＳ１０４）。
【０１４３】
次に、放送再送信装置１０１は、検出したタイミングに基づいて、放送波に含まれるクロックを再生する（ステップＳ１０５）。
【０１４４】
また、放送再送信装置１０１は、バッファ３１の蓄積量に基づいてクロックの周波数を補正する（ステップＳ１０６）。
【０１４５】
次に、放送再送信装置１０１は、再生したクロックを用いて、生成したストリームをバッファ３１から読み出す（ステップＳ１０７）。
【０１４６】
次に、放送再送信装置１０１は、読み出したストリームを変調して再送信用放送波を生成する（ステップＳ１０８）。
【０１４７】
なお、ステップＳ１０３およびステップＳ１０４は、上記に限らず、順番を入れ替えてもよいし、並行して行ってもよい。
【０１４８】
図８は、本発明の第１の実施の形態に係る放送再送信装置がクロックの周波数を調整する際の動作手順を定めたフローチャートである。図８は、図７におけるステップＳ１０８およびステップＳ１１５の詳細を示している。
【０１４９】
図８を参照して、まず、放送再送信装置１０１におけるクロック再生部１７は、チューナ１１が受信した衛星放送波に含まれるフレームの先頭のタイミングを示す情報ＴＩ１を検出部１９から受けた場合（ステップＳ２０１でＹＥＳ）、ＶＣＯ１８から受けたクロックのパルスをカウントすることにより、当該フレームの長さを計測する（ステップＳ２０２）
【０１５０】
次に、クロック再生部１７は、所定フレーム数分のクロックのパルスをカウントした場合（ステップＳ２０３でＹＥＳ）、カウント値と１１１５５２０×所定フレーム数との差分Ｄ１を算出する（ステップＳ２０４）。
【０１５１】
次に、クロック再生部１７は、バッファ３１におけるデータの蓄積量を取得する（ステップＳ２０５）。
【０１５２】
クロック再生部１７は、当該蓄積量が下限値Ｌ２未満である場合（ステップＳ２０６でＹＥＳ）、ＶＣＯ１８における発振周波数を小さくするための補正量Ｍ１を算出し（ステップＳ２０７）、算出した差分Ｄ１および補正量Ｍ１に応じてＶＣＯ１８への出力電圧の大きさを決定する（ステップＳ２０８）。
【０１５３】
一方、クロック再生部１７は、当該蓄積量が下限値Ｌ２以上であり（ステップＳ２０６でＮＯ）、かつ上限値Ｌ１以下である場合（ステップＳ２０９でＹＥＳ）、算出した差分Ｄ１に応じてＶＣＯ１８への出力電圧の大きさを決定する（ステップＳ２１０）。
【０１５４】
他方、クロック再生部１７は、当該蓄積量が上限値Ｌ１より大きい場合（ステップＳ２０９でＮＯ）、ＶＣＯ１８における発振周波数を大きくするための補正量Ｍ２を算出し（ステップＳ２１１）、算出した差分ｄ１および補正量Ｍ２に応じてＶＣＯ１８への出力電圧の大きさを決定する（ステップＳ２１２）。
【０１５５】
一方、クロック再生部１７は、クロックのパルスをカウントしたフレームが所定数に満たない場合（ステップＳ２０３でＮＯ）、差分Ｄ１をゼロと算出し（ステップＳ２１３）、バッファ３１におけるデータの蓄積量を取得する（ステップＳ２０５）。
【０１５６】
ところで、高度広帯域衛星デジタル放送等の放送波を、ネットワーク経由で加入者宅へ再送信する優れたシステムを構築することが可能な技術が望まれる。
【０１５７】
そこで、本発明の第１の実施の形態に係る放送再送信装置では、ストリーム生成部１５は、チューナ１１によって受信された放送波に含まれるストリームを生成し、バッファ３１に蓄積する。放送波生成部１６は、ストリーム生成部１５によって生成されたストリームをバッファ３１から読み出し、読み出したストリームを変調して再送信用放送波を生成する。検出部１９は、チューナ１１によって受信された放送波に含まれるフレームのタイミングを検出する。クロック再生部１７は、検出部１９によって検出されたタイミングに基づいて、放送波に含まれるクロックを再生するとともに、バッファ３１の蓄積量に基づいてクロックの周波数を補正する。クロック再生部１７によって再生されるクロックは、ストリームの読み出しを含む放送波生成部１６の処理に用いられる。
【０１５８】
このような構成により、放送波のクロック再生において、再送信用放送波のクロックの周波数を、フレームのタイミングに基づく簡易な処理で放送波の送信クロックの周波数に合わせることができる。また、バッファ３１の蓄積量に着目してクロックの周波数を補正する構成により、放送波のクロック再生をより正確に行うことができる。そして、チューナ１１から出力される復調データを再変調する構成により、搬送波対雑音比を元の衛星放送波より大きくすることができるため、たとえば加入者宅において、放送再送信装置を介して送信された放送波に含まれる番組を安定して再生することができる。
【０１５９】
したがって、本発明の第１の実施の形態に係る放送再送信装置では、放送波をネットワーク経由で加入者宅へ再送信する優れたシステムを構築することができる。
【０１６０】
また、本発明の第１の実施の形態に係る放送再送信装置では、チューナは、放送波である衛星放送波を受けて復調し、当該衛星放送波に含まれるフレームの一部または全部を含む復調データを出力する。ストリーム生成部１５は、チューナ１１から受けた復調データに一部または全部が含まれるストリームを生成する。検出部１９は、チューナ１１から受けた復調データに基づいて、フレームのタイミングを検出する。
【０１６１】
このような構成により、再送信用放送波のクロックの周波数を、衛星放送波の送信クロックの周波数に合わせることができる。
【０１６２】
また、本発明の第１の実施の形態に係る放送再送信装置では、放送波は、高度広帯域衛星デジタル放送の放送波である。
【０１６３】
このような構成により、再送信用放送波のクロックの周波数を、高度広帯域衛星デジタル放送の放送波において用いられる送信クロックの周波数に合わせることができる。
【０１６４】
また、本発明の第１の実施の形態に係る放送再送信方法では、まず、フレームを構成する１または複数のストリームを含む放送波を受信する。次に、受信した放送波に含まれるストリームを生成し、バッファ３１に蓄積する。次に、受信した放送波に含まれるフレームのタイミングを検出する。次に、検出したタイミングに基づいて、放送波に含まれるクロックを再生する。次に、バッファ３１の蓄積量に基づいてクロックの周波数を補正する。次に、生成したストリームをバッファ３１から読み出し、読み出したストリームを変調して再送信用放送波を生成する。再送信用放送波の生成において、再生したクロックを用いて、ストリームの読み出しを含む処理を行う。
【０１６５】
このような構成により、放送波のクロック再生において、再送信用放送波のクロックの周波数を、フレームのタイミングに基づく簡易な処理で放送波の送信クロックの周波数に合わせることができる。また、バッファ３１の蓄積量に着目してクロックの周波数を補正する構成により、放送波のクロック再生をより正確に行うことができる。そして、チューナ１１から出力される復調データを再変調する構成により、搬送波対雑音比を元の衛星放送波より大きくすることができるため、たとえば加入者宅において、放送再送信装置を介して送信された放送波に含まれる番組を安定して再生することができる。
【０１６６】
したがって、本発明の第１の実施の形態に係る放送再送信方法では、放送波をネットワーク経由で加入者宅へ再送信する優れたシステムを構築することができる。
【０１６７】
次に、本発明の他の実施の形態について図面を用いて説明する。なお、図中同一または相当部分には同一符号を付してその説明は繰り返さない。
【０１６８】
＜第２の実施の形態＞
本実施の形態は、第１の実施の形態に係る放送再送信システムと比べて、さらに、ＩＰ網を介した通信を行う放送再送信システムに関する。以下で説明する内容以外は第１の実施の形態に係る放送再送信システムと同様である。
【０１６９】
図９は、本発明の第２の実施の形態に係る放送再送信システムの構成を示す図である。
【０１７０】
図９を参照して、放送再送信システム３０２は、放送再送信装置１０２Ａと、放送再送信装置１０２Ｂと、複数のＳＴＢ１３１とを備える。ＳＴＢ１３１は、ＴＶモニタ１３３に接続されている。以下、放送再送信装置１０２Ａおよび放送再送信装置１０２Ｂの各々を、放送再送信装置１０２とも称する。
【０１７１】
なお、放送再送信システム３０２は、複数のＳＴＢ１３１を備える構成に限らず、１つのＳＴＢ１３１を備える構成であってもよい。
【０１７２】
放送再送信装置１０２Ａおよび放送再送信装置１０２Ｂは、たとえば、ケーブルテレビ放送を提供する事業者の局舎１５１に設けられる。ＳＴＢ１３１およびＴＶモニタ１３３は、加入者宅１５２に設けられる。
【０１７３】
放送再送信装置１０２Ａおよび放送再送信装置１０２Ｂには、たとえば、外部アンテナ８１が接続されている。放送再送信装置１０２Ａは、たとえば、フレームを構成する１または複数のストリームを含む放送波である衛星放送波を外部アンテナ８１経由で受信して復調し、復調データに一部または全部が含まれるストリームを生成する。
【０１７４】
そして、放送再送信装置１０２Ａは、生成したストリームを含むＩＰパケットを生成し、生成したＩＰパケットを含む放送波であるＩＰ放送波をＩＰ網２０へ送信する。
【０１７５】
放送再送信装置１０２Ｂは、フレームを含む放送波である衛星放送波をアンテナ８１経由で受信して復調し、復調データに一部または全部が含まれるストリームを生成する。
【０１７６】
また、放送再送信装置１０２Ｂは、ＩＰ網２０を介して放送再送信装置１０２Ａから送信されたＩＰ放送波を受信し、受信したＩＰ放送波からストリームを取得する。
【０１７７】
放送再送信装置１０２Ｂは、加入者網１０へ送信する再送信用放送波を選択可能である。たとえば、放送再送信装置１０２Ｂによる再送信用放送波の選択対象には、衛星放送波から生成したストリームを変調した再送信用放送波と、ＩＰ放送波から取得したストリームを変調した再送信用放送波とがある。
【０１７８】
より詳細には、放送再送信装置１０２Ｂは、衛星放送波の通信品質およびＩＰ放送波の通信品質に応じて、衛星放送波から生成したストリームを変調した再送信用放送波を加入者網１０へ送信するか、ＩＰ放送波から取得したストリームを変調した再送信用放送波を加入者網１０へ送信するかを切り替える。
【０１７９】
図１０は、本発明の第２の実施の形態に係る放送再送信システムにおける放送再送信装置の構成を示す図である。
【０１８０】
図１０を参照して、放送再送信装置１０２は、図４に示す放送再送信装置１０１と比べて、さらに、ＩＰ通信部１２を備える。ストリーム生成部１５は、さらに、バッファ３２を含む。
【０１８１】
［ＩＰ放送波の生成］
たとえば、放送再送信装置１０２ＡにおけるＩＰ通信部１２は、ストリーム生成部１５によって生成されたストリームをバッファ３１から読み出し、読み出したストリームを含むＩＰパケットを生成する。
【０１８２】
図１１は、本発明の第２の実施の形態に係る放送再送信システムにおけるＩＰパケットのフォーマットの一例を示す図である。
【０１８３】
図１１を参照して、ＩＰパケットは、先頭から順に、ＩＰ（Ｉｎｔｅｒｎｅｔ  Ｐｒｏｔｏｃｏｌ）ヘッダ、ＵＤＰ（Ｕｓｅｒ  Ｄａｔａｇｒａｍ  Ｐｒｏｔｏｃｏｌ）ヘッダ、ＲＴＰ（Ｒｅａｌ−ｔｉｍｅ  Ｔｒａｎｓｐｏｒｔ  Ｐｒｏｔｏｃｏｌ）ヘッダおよびペイロードのフィールドで構成されている。
【０１８４】
また、放送再送信装置１０２ＡにおけるＩＰ通信部１２は、たとえば、バッファ３１から読み出したストリームに対応する、衛星放送波のレベルおよびＣ／Ｎ等の測定結果をチューナ１１における記憶部２１から取得する。
【０１８５】
ＩＰ通信部１２は、たとえば、読み出したストリームを分割し、分割したストリーム（以下、分割ストリームとも称する。）と、取得した測定結果とをペイロードに格納し、ＩＰヘッダ、ＵＤＰヘッダおよびＲＴＰヘッダを付加した複数のＩＰパケットを生成する。
【０１８６】
そして、ＩＰ通信部１２は、生成した各ＩＰパケットを含む再送信用放送波をＩＰ網２０へ送信する。
【０１８７】
再び図９および図１０を参照して、放送再送信装置１０２ＡにおけるＩＰ通信部１２は、生成した各ＩＰパケットを含む再送信用放送波を生成し、生成した再送信用放送波をＩＰ網２０を介して放送再送信装置１０２Ｂへ送信する。
【０１８８】
放送再送信装置１０２ＢにおけるＩＰ通信部１２は、たとえば、放送再送信装置１０２Ａから送信された再送信用放送波、すなわち各ＩＰパケットを含む放送波であるＩＰ放送波をＩＰ網２０経由で受信する。
【０１８９】
そして、ＩＰ通信部１２は、受信した各ＩＰパケットに含まれるストリームを取得し、取得したストリームからフレームを生成して出力する
【０１９０】
より詳細には、ＩＰ通信部１２は、たとえば、受信したＩＰ放送波に含まれるＩＰパケットから分割ストリームおよび対応の測定結果を取得する。
【０１９１】
そして、ＩＰ通信部１２は、たとえば、取得した複数の分割ストリームを合わせることによりストリームを生成し、生成したストリームからフレームを生成してストリーム生成部１５および検出部１９へ出力する。また、ＩＰ通信部１２は、取得した対応の測定結果をストリーム生成部１５へ出力する。
【０１９２】
たとえば、放送再送信装置１０２Ｂにおける検出部１９は、ＩＰ通信部１２から受けたフレームに基づいて、フレームのタイミングを検出する。
【０１９３】
より詳細には、検出部１９は、上述のように、ＩＰ通信部１２から受けたストリームすなわちフレームの時間の長さを計測する。具体的には、検出部１９は、ＩＰ通信部１２から受けたフレームの先頭のタイミングを検出し、検出したフレームの先頭のタイミングを示す情報ＴＩ２をクロック再生部１７へ出力する。
【０１９４】
クロック再生部１７は、検出部１９から受けた情報ＴＩ２に基づいて、ＩＰ放送波に含まれるクロックを再生する。
【０１９５】
たとえば、放送再送信装置１０２Ｂにおけるストリーム生成部１５は、ＩＰ通信部１２から受けたフレームに含まれるストリームを放送波生成部１６へ出力する。
【０１９６】
より詳細には、ストリーム生成部１５は、たとえば、ＩＰ通信部１２からフレームを受けて、当該フレームに含まれるストリームをバッファ３２に書き込む。
【０１９７】
ストリーム生成部１５は、ストリームの出力を選択可能である。たとえば、ストリーム生成部１５による出力の選択対象には、ストリーム生成部１５が生成した、チューナ１１から受けた復調データに一部または全部が含まれるストリームの出力と、ＩＰ通信部１２から受けたフレームに含まれるストリームの出力とがある。
【０１９８】
すなわち、ストリーム生成部１５は、チューナ１１から受けた復調データに一部または全部が含まれるストリームを生成して出力するか、ＩＰ通信部１２から受けたフレームに含まれるストリームを出力するかを切り替える。
【０１９９】
たとえば、ストリーム生成部１５は、衛星放送波の通信品質およびＩＰ放送波の通信品質に応じて出力を選択する。
【０２００】
一例として、チューナ１１は、外部アンテナ８１経由で衛星放送波を受信できない場合、受信不可を示す受信状態情報をストリーム生成部１５へ出力する。
【０２０１】
ストリーム生成部１５は、チューナ１１から受信不可を示す受信状態情報を受けて、チューナ１１からのストリームを放送波生成部１６へ出力せず、ＩＰ通信部１２からのストリームを放送波生成部１６へ出力する。
【０２０２】
また、他の例として、ＩＰ通信部１２は、ＩＰ網２０を介した他の装置との通信ができない場合、通信不可を示す情報をストリーム生成部１５へ出力する。
【０２０３】
ストリーム生成部１５は、ＩＰ通信部１２から通信不可を示す情報を受けて、ＩＰ通信部１２からのストリームを放送波生成部１６へ出力せず、チューナ１１からのストリームを放送波生成部１６へ出力する。
【０２０４】
また、ストリーム生成部１５は、たとえば、チューナ１１から受けた測定結果と、ＩＰ通信部１２から受けた測定結果とを比較することにより、より通信品質の良好なストリームを放送波生成部１６へ出力する。
【０２０５】
具体的には、ストリーム生成部１５は、たとえば、チューナ１１から受けた測定結果に含まれるＣ／Ｎが、ＩＰ通信部１２から受けた測定結果に含まれるＣ／Ｎより良好である、すなわち大きい値である場合、ＩＰ通信部１２からのストリームを放送波生成部１６へ出力せず、チューナ１１からのストリームを放送波生成部１６へ出力する。
【０２０６】
また、ストリーム生成部１５は、たとえば、ＩＰ通信部１２から受けた測定結果に含まれるレベルが、チューナ１１から受けた測定結果に含まれるレベルより良好である、すなわち大きい値である場合、チューナ１１からのストリームを放送波生成部１６へ出力せず、ＩＰ通信部１２からのストリームを放送波生成部１６へ出力する。
【０２０７】
ストリーム生成部１５は、チューナ１１からのストリームまたはＩＰ通信部１２からのストリームのいずれを出力しているかを示す選択情報を放送波生成部１６およびクロック再生部１７へ出力する。
【０２０８】
クロック再生部１７は、クロックの再生元を選択可能である。たとえば、クロック再生部１７の再生元には、チューナ１１から受けた復調データと、ＩＰ通信部１２から受けたフレームとがある。
【０２０９】
クロック再生部１７は、ストリーム生成部１５による出力の選択に応じて、たとえば衛星放送波の通信品質およびＩＰ放送波の通信品質に応じて、チューナ１１から受けた復調データに基づいてクロックを再生するか、ＩＰ通信部１２から受けたフレームに基づいてクロックを再生するかを切り替える。
【０２１０】
より詳細には、クロック再生部１７は、ストリーム生成部１５から受けた選択情報に基づいて、検出部１９から受けた情報ＴＩ１に基づいてクロックを再生するか、または検出部１９から受けた情報ＴＩ２に基づいてクロックを再生するかを切り替える。
【０２１１】
具体的には、クロック再生部１７は、たとえば、チューナ１１からのストリームを出力している旨の選択情報をストリーム生成部１５から受けた場合、情報ＴＩ１に基づいて復調データのクロック、すなわち衛星放送波のクロックを再生する。
【０２１２】
また、クロック再生部１７は、たとえば、ＩＰ通信部１２からのストリームを出力している旨の選択情報をストリーム生成部１５から受けた場合、情報ＴＩ２に基づいてＩＰ放送波のクロックを再生する。
【０２１３】
放送再送信装置１０２Ｂにおける放送波生成部１６は、ストリーム生成部１５から受けたストリームを変調して再送信用放送波を生成する。
【０２１４】
より詳細には、放送波生成部１６は、ストリーム生成部１５から受けた選択情報に基づいて、バッファ３１またはバッファ３２のいずれか一方からストリームを読み出し、読み出したストリームに含まれる伝送ＴＭＣＣ情報に従って、当該ストリームの変調処理を行う。
【０２１５】
放送波生成部１６は、変調後のストリームの周波数をたとえば加入者網１０に対応する周波数に変換して再送信用放送波を生成する。
【０２１６】
放送再送信システム３０２における再送信用放送波は、自己または他の放送再送信装置におけるチューナ１１が受ける衛星放送波に含まれるクロックが再生されたクロックを含む。
【０２１７】
より詳細には、放送再送信装置１０２Ｂにおける放送波生成部１６は、バッファ３２からストリームを読み出す場合、クロック再生部１７によって再生されたＩＰ放送波のクロックを用いる。
【０２１８】
ＩＰ放送波のクロックは、放送再送信装置１０２Ａにおいて、チューナ１１から受けたストリームのクロックが再生されたクロックである。
【０２１９】
すなわち、放送再送信装置１０２Ｂにおける放送波生成部１６は、放送再送信装置１０２Ａにおけるチューナ１１から出力された復調データのクロック、すなわち衛星放送波に含まれるクロックが再生されたクロックを用いて、バッファ３２からストリームを読み出す。
【０２２０】
これにより、放送再送信装置１０２Ｂにおける放送波生成部１６が生成する再送信用放送波には、放送再送信装置１０２Ａにおけるチューナ１１が受ける衛星放送波に含まれるクロックが含まれる。
【０２２１】
そして、放送再送信装置１０２Ｂにおける放送波生成部１６は、生成した再送信用放送波をたとえば加入者網１０を介して各加入者宅１５２へ送信する。
【０２２２】
なお、放送再送信装置１０２Ｂにおけるストリーム生成部１５は、チューナ１１から受けた復調データに一部または全部が含まれるストリームの出力、およびＩＰ通信部１２から受けたフレームに含まれるストリームの出力のいずれか一方を選択する構成に限らず、別のストリームの出力を選択可能な構成であってもよい。
【０２２３】
具体的には、放送再送信装置１０２Ｂは、たとえば、ＡＳＩ（Ａｓｙｎｃｈｒｏｎｏｕｓ  Ｓｅｒｉａｌ  Ｉｎｔｅｒｆａｃｅ）方式の信号であるＡＳＩ信号を外部から入力するためのＡＳＩ入力コネクタを備え、ストリーム生成部１５は、ＡＳＩ入力コネクタを介して受信したＡＳＩ信号に含まれるストリームの出力を選択可能な構成であってもよい。
【０２２４】
そして、放送再送信装置１０２Ｂにおけるクロック再生部１７は、ストリーム生成部１５による出力の選択に応じて、クロックの再生元としてＡＳＩ信号を選択してもよい。
【０２２５】
また、放送再送信装置１０２Ｂにおける放送波生成部１６は、ストリーム生成部１５によってＡＳＩ信号に含まれるストリームの出力が選択された場合、クロック再生部１７によってＡＳＩ信号のクロックが再生されたクロックを用いて、ストリーム生成部１５によって選択されたＡＳＩ信号に含まれるストリームから再送信用放送波を生成し、加入者網１０を介して各加入者宅１５２へ送信してもよい。
【０２２６】
図１２は、本発明の第２の実施の形態に係る放送再送信装置が放送再送信を行う際の動作手順を定めたフローチャートである。
【０２２７】
図１２を参照して、まず、放送再送信装置１０２は、フレームを構成する１または複数のストリームを含む衛星放送波を受信して復調し、フレームの一部または全部を含む復調データを生成する（ステップＳ３０１）。
【０２２８】
次に、放送再送信装置１０２は、生成した復調データに一部または全部が含まれるストリームを生成する（ステップＳ３０２）。
【０２２９】
次に、放送再送信装置１０２は、生成したストリームをバッファ３１に蓄積する（ステップＳ３０３）。
【０２３０】
次に、放送再送信装置１０２は、受信した衛星放送波に含まれるフレームのタイミングを検出する（ステップＳ３０４）。
【０２３１】
また、放送再送信装置１０２は、ＩＰパケットを含む放送波であるＩＰ放送波を受信し（ステップＳ３０５）、受信したＩＰ放送波に含まれるＩＰパケットからストリームを取得し、取得したストリームからフレームを生成する（ステップＳ３０６）。
【０２３２】
次に、放送再送信装置１０２は、生成したフレームに含まれるストリームをバッファ３２に蓄積する（ステップＳ３０７）。
【０２３３】
次に、放送再送信装置１０２は、生成したフレームのタイミングを検出する（ステップＳ３０８）。
【０２３４】
次に、放送再送信装置１０２におけるストリーム生成部１５は、通信品質に応じて、ストリームの出力を選択する。ストリーム生成部１５による出力の選択対象には、ストリーム生成部１５が生成した、チューナ１１から受けた復調データに一部または全部が含まれるストリームの出力と、ＩＰ通信部１２から受けたフレームに含まれるストリームの出力とがある。すなわち、ストリーム生成部１５は、通信品質に応じて、復調データに一部または全部が含まれるストリーム、を生成して出力するか、生成したフレームに含まれるストリームを出力するかを切り替える（ステップＳ３０９）。
【０２３５】
次に、放送再送信装置１０２は、ストリームの出力の選択に応じて、クロックの再生元を選択する。すなわち、放送再送信装置１０２は、ストリームの出力の切り替えに応じて、復調データに基づいてクロックを再生するか、生成したフレームに基づいてクロックを再生するかを切り替える。
【０２３６】
放送再送信装置１０２は、衛星放送波の通信品質が良好である場合（ステップＳ３０９でＹＥＳ）、出力した復調データをクロックの再生元として選択する。より詳細には、放送再送信装置１０２は、検出した衛星放送波に含まれるフレームのタイミングに基づいて、衛星放送波に含まれるクロックを再生する（ステップＳ３１０）。
【０２３７】
また、放送再送信装置１０２は、バッファ３１の蓄積量に基づいてクロックの周波数を補正する（ステップＳ３１１）。
【０２３８】
次に、放送再送信装置１０２は、再生したクロックを用いて、生成したストリームをバッファ３１から読み出す（ステップＳ３１２）。
【０２３９】
次に、放送再送信装置１０２は、読み出したストリームを変調して再送信用放送波を生成する（ステップＳ３１３）。
【０２４０】
一方、放送再送信装置１０２は、ＩＰ放送波の通信品質が良好である場合（ステップＳ２０９でＮＯ）、出力したフレームをクロックの再生元として選択する。より詳細には、放送再送信装置１０２は、生成して出力したフレームのタイミング、すなわちＩＰ放送波のフレームのタイミングに基づいて、ＩＰ放送波に含まれるクロックを再生する（ステップＳ３１４）。
【０２４１】
また、放送再送信装置１０２は、バッファ３２の蓄積量に基づいてクロックの周波数を補正する（ステップＳ３１５）。
【０２４２】
次に、放送再送信装置１０２は、再生したクロックを用いて、取得したストリームをバッファ３２から読み出す（ステップＳ３１６）。
【０２４３】
次に、放送再送信装置１０２は、読み出したストリームを変調して再送信用放送波を生成する（ステップＳ３１７）。
【０２４４】
なお、ステップＳ３０３およびステップＳ３０４は、上記に限らず、順番を入れ替えてもよいし、並行して行ってもよい。
【０２４５】
また、ステップＳ３０５およびステップＳ３０８は、上記に限らず、順番を入れ替えてもよいし、並行して行ってもよい。
【０２４６】
また、ステップＳ３０１〜ステップＳ３０４とステップＳ３０５〜ステップＳ３０８とは、上記に限らず、順番を入れ替えてもよいし、並行して行ってもよい。
【０２４７】
また、本発明の第２の実施の形態に係る放送再送信装置では、チューナ１１は、衛星放送波を受信する構成であるとしたが、これに限定するものではない。チューナ１１は、たとえば、地上デジタル放送波等、衛星放送波以外の放送波を受信する構成であってもよい。
【０２４８】
また、本発明の第２の実施の形態に係る放送再送信装置では、ストリーム生成部１５は、衛星放送波の通信品質およびＩＰ放送波の通信品質に応じて出力を選択する構成であるとしたが、これに限定するものではない。放送再送信装置１０２は、たとえば、通信品質によらず、時間帯に応じて放送波の出力を選択する構成であってもよい。
【０２４９】
以上のように、本発明の第２の実施の形態に係る放送再送信装置では、ＩＰ通信部１２は、ストリーム生成部１５によって生成されたストリームをバッファ３１から読み出し、読み出したストリームを含むＩＰパケットを生成し、生成したＩＰパケットを含む再送信用放送波をＩＰ網２０へ送信する。
【０２５０】
このような構成により、再送信用放送波をＩＰ網２０を介して送信することができるため、たとえば、衛星放送波の受信が困難な地域においても衛星放送波に含まれる番組を再生することができる。
【０２５１】
また、本発明の第２の実施の形態に係る放送再送信装置では、ＩＰ通信部１２は、ＩＰパケットを含む放送波であるＩＰ放送波をＩＰ網２０経由で受信し、受信したＩＰパケットに含まれるストリームを取得し、取得したストリームからフレームを生成して出力する。ストリーム生成部１５は、ＩＰ通信部１２から受けたフレームに含まれるストリームをバッファ３２に蓄積する。検出部１９は、ＩＰ通信部１２から受けたフレームに基づいて、当該フレームのタイミングを検出する。
【０２５２】
このような構成により、再送信用放送波のクロックの周波数を、ＩＰ放送波のフレームのタイミングに基づく簡易な処理で当該ＩＰ放送波の送信クロックの周波数に合わせることができる。
【０２５３】
また、本発明の第２の実施の形態に係る放送再送信装置では、チューナ１１は、フレームを構成する１または複数のストリームを含む放送波である衛星放送波を受けて復調し、フレームの一部または全部を含む復調データを出力する。ＩＰ通信部１２は、ＩＰパケットを含む放送波であるＩＰ放送波を受信し、ＩＰパケットに含まれるストリームを取得し、取得したストリームからフレームを生成して出力する。ストリーム生成部１５は、ストリームの出力を選択可能である。放送波生成部１６は、ストリーム生成部１５から受けたストリームを変調して再送信用放送波を生成する。クロック再生部１７は、放送波に含まれるクロックを再生し、クロックの再生元を選択可能である。ストリーム生成部１５による出力の選択対象には、ストリーム生成部１５が生成した、チューナ１１から受けた復調データに一部または全部が含まれるストリームの出力と、ＩＰ通信部１２から受けたフレームに含まれるストリームの出力とがある。クロック再生部１７によって再生されるクロックは、放送波生成部１６において用いられる。クロック再生部１７の再生元には、チューナ１１から受けた復調データと、ＩＰ通信部１２から受けた前記フレームとがある。
【０２５４】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。
【０２５５】
したがって、本発明の第２の実施の形態に係る放送再送信装置では、放送波をネットワーク経由で加入者宅へ再送信する優れたシステムを構築することができる。
【０２５６】
また、本発明の第２の実施の形態に係る放送再送信装置では、ストリーム生成部１５は、衛星放送波の通信品質およびＩＰ放送波の通信品質に応じて出力を選択する。
【０２５７】
このような構成により、通信品質がより良い放送波を選択して出力することができるため、より安定して、番組の配信等のサービスを提供することができる。
【０２５８】
また、本発明の第２の実施の形態に係る放送再送信装置では、チューナ１１は、放送波である衛星放送波を受けて復調し、フレームの一部または全部を含む復調データを出力する。ストリーム生成部１５は、チューナ１１から受けた復調データに一部または全部が含まれるストリームを生成する。再送信用放送波は、自己または他の放送再送信装置１０２におけるチューナ１１が受ける衛星放送波に含まれるクロックが再生されたクロックを含む。
【０２５９】
このような構成により、再送信用放送波のクロックの周波数を、他の放送再送信装置１０２からネットワークを介して受信した放送波のクロックの周波数に合わせることで、再送信用放送波のクロックの周波数を、他の放送再送信装置１０２において受信した衛星放送波の送信クロックの周波数に合わせることができる。すなわち、ネットワークを介して衛星放送波のクロックの周波数を伝達し、他の放送再送信装置１０２において受信した衛星放送波を加入者宅へ再送信することができる。
【０２６０】
また、本発明の第２の実施の形態に係る放送再送信システムでは、放送再送信装置１０２Ａは、フレームを構成する１または複数のストリームを含む放送波である衛星放送波を受信して復調し、復調データに一部または全部が含まれるストリームを生成し、生成したストリームを含むＩＰパケットを生成し、生成したＩＰパケットを含む放送波であるＩＰ放送波をＩＰ網２０へ送信する。放送再送信装置１０２Ｂは、フレームを含む放送波である衛星放送波を受信して復調し、復調データに一部または全部が含まれるストリームを生成する。放送再送信装置１０２Ｂは、ＩＰ網２０を介してＩＰ放送波を受信し、受信したＩＰ放送波からストリームを取得する。放送再送信装置１０２Ｂは、加入者網１０へ送信する再送信用放送波を選択可能である。放送再送信装置１０２Ｂによる再送信用放送波の選択対象には、衛星放送波から生成したストリームを変調した再送信用放送波と、ＩＰ放送波から取得したストリームを変調した再送信用放送波とがある。
【０２６１】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。
【０２６２】
したがって、本発明の第２の実施の形態に係る放送再送信システムでは、放送波をネットワーク経由で加入者宅へ再送信する優れたシステムを構築することができる。
【０２６３】
また、本発明の第２の実施の形態に係る放送再送信方法では、まず、フレームを構成する１または複数のストリームを含む放送波である衛星放送波を受けて復調し、フレームの一部または全部を含む復調データを出力する。次に、ＩＰパケットを含む放送波であるＩＰ放送波を受信し、ＩＰパケットに含まれるストリームを取得し、取得したストリームからフレームを生成して出力する。次に、ストリームの出力を選択する。次に、クロックの再生元を選択し、放送波に含まれるクロックを再生する。次に、再生したクロックを用いて、出力したストリームを変調して再送信用放送波を生成する。ストリームの出力を選択する際の選択対象には、出力した復調データに一部または全部が含まれるストリームであって生成したストリームの出力と、出力したフレームに含まれるストリームの出力とがある。そして、クロックの再生元には、出力した復調データと、出力したフレームとがある。
【０２６４】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。
【０２６５】
したがって、本発明の第２の実施の形態に係る放送再送信方法では、放送波をネットワーク経由で加入者宅へ再送信する優れたシステムを構築することができる。
【０２６６】
また、本発明の第２の実施の形態に係る放送再送信方法では、まず、放送再送信装置１０２Ａが、フレームを構成する１または複数のストリームを含む放送波である衛星放送波を受信して復調し、復調データに含まれるストリームを生成し、生成したストリームを含むＩＰパケットを生成し、生成したＩＰパケットを含む放送波であるＩＰ放送波をＩＰ網へ送信する。次に、放送再送信装置１０２Ｂが、フレームを含む放送波である衛星放送波を受信して復調し、復調データに一部または全部が含まれるストリームを生成する。次に、放送再送信装置１０２Ｂが、ＩＰ網２０を介してＩＰ放送波を受信し、受信したＩＰ放送波からストリームを取得する。次に、放送再送信装置１０２Ｂが、加入者網１０へ送信する再送信用放送波を選択する。放送再送信装置１０２Ｂによる再送信用放送波の選択対象には、衛星放送波から生成したストリームを変調した再送信用放送波と、ＩＰ放送波から取得したストリームを変調した再送信用放送波とがある。
【０２６７】
このように、衛星放送波またはＩＰ放送波を選択して再送信する構成により、番組の配信等のサービスをより安定して加入者に提供することができる。また、クロックの再生対象を選択する構成により、選択した放送波に応じたクロックを再生することができる。
【０２６８】
したがって、本発明の第２の実施の形態に係る放送再送信方法では、放送波をネットワーク経由で加入者宅へ再送信する優れたシステムを構築することができる。
【０２６９】
その他の構成および動作は第１の実施の形態に係る放送再送信システムと同様であるため、ここでは詳細な説明を繰り返さない。
【０２７０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２７１】
以上の説明は、以下に付記する特徴を含む。
［付記１］
フレームを構成する１または複数のストリームを含む放送波を受信する放送再送信装置であって、
受信された前記放送波に含まれる前記ストリームを生成し、バッファに蓄積するストリーム生成部と、
前記ストリーム生成部によって生成された前記ストリームを前記バッファから読み出し、読み出した前記ストリームを変調して再送信用放送波を生成する放送波生成部と、
受信された前記放送波に含まれる前記フレームのタイミングを検出する検出部と、
前記検出部によって検出された前記タイミングに基づいて、前記放送波に含まれるクロックを再生するとともに、前記バッファの蓄積量に基づいて前記クロックの周波数を補正するクロック再生部とを備え、
前記クロック再生部によって再生される前記クロックが、前記ストリームの読み出しを含む前記放送波生成部の処理に用いられ、
前記ストリーム生成部は、前記放送波に含まれるクロックを用いて前記ストリームを前記バッファに書き込み、
前記バッファはＦＩＦＯである、放送再送信装置。
【０２７２】
［付記２］
フレームを構成する１または複数のストリームを含む放送波である衛星放送波を受けて復調し、前記フレームの一部または全部を含む復調データを出力するチューナと、
ＩＰパケットを含む放送波であるＩＰ放送波を受信し、前記ＩＰパケットに含まれるストリームを取得し、取得したストリームからフレームを生成して出力するＩＰ通信部と、
前記ストリームの出力を選択可能なストリーム生成部と、
前記ストリーム生成部から受けた前記ストリームを変調して再送信用放送波を生成する放送波生成部と、
前記放送波に含まれるクロックを再生し、再生元を選択可能なクロック再生部とを備え、
前記ストリーム生成部による前記出力の選択対象には、前記ストリーム生成部が生成した、前記チューナから受けた前記復調データに一部または全部が含まれる前記ストリームの出力と、前記ＩＰ通信部から受けた前記フレームに含まれる前記ストリームの出力とがあり、
前記クロック再生部によって再生される前記クロックは、前記放送波生成部において用いられ、
前記クロック再生部の前記再生元には、前記チューナから受けた前記復調データと、前記ＩＰ通信部から受けた前記フレームとがあり、
前記放送再送信装置は、さらに、前記ストリームを蓄積するバッファを備え、
前記ストリーム生成部は、前記放送波に含まれるクロックを用いて前記ストリームを前記バッファに書き込み、
前記バッファはＦＩＦＯである、放送再送信装置。
【０２７３】
［付記３］
第１の放送再送信装置と、
第２の放送再送信装置とを備え、
前記第１の放送再送信装置は、フレームを構成する１または複数のストリームを含む放送波である衛星放送波を受信して復調し、復調データに一部または全部が含まれる前記ストリームを生成し、生成した前記ストリームを含むＩＰパケットを生成し、生成したＩＰパケットを含む放送波であるＩＰ放送波をＩＰ網へ送信し、
前記第２の放送再送信装置は、フレームを含む放送波である衛星放送波を受信して復調し、復調データに一部または全部が含まれるストリームを生成し、
前記第２の放送再送信装置は、前記ＩＰ網を介して前記ＩＰ放送波を受信し、受信した前記ＩＰ放送波から前記ストリームを取得し、
前記第２の放送再送信装置は、加入者網へ送信する再送信用放送波を選択可能であり、
前記第２の放送再送信装置による前記再送信用放送波の選択対象には、前記衛星放送波から生成した前記ストリームを変調した再送信用放送波と、前記ＩＰ放送波から取得した前記ストリームを変調した再送信用放送波とがあり、
前記第１の放送再送信装置および前記第２の放送再送信装置は、前記ストリームを蓄積するバッファを備え、
前記第１の放送再送信装置および前記第２の放送再送信装置は、前記放送波に含まれるクロックを用いて前記ストリームを前記バッファに書き込み、
前記バッファはＦＩＦＯである、放送再送信システム。
【符号の説明】
【０２７４】
１０  加入者網
１１  チューナ
１２  ＩＰ通信部
１５  ストリーム生成部
１６  放送波生成部
１７  クロック再生部
１８  ＶＣＯ
１９  検出部
２０  ＩＰ網
２１記憶部
３１，３２  バッファ
８１  外部アンテナ
１０１  放送再送信装置
１５１  局舎
１５２  加入者宅
１３１  ＳＴＢ
１３３  ＴＶモニタ
【図１】
2020057951.tif 000003
【図２】
2020057951.tif 000004
【図３】
2020057951.tif 000005
【図４】
2020057951.tif 000006
【図５】
2020057951.tif 000007
【図６】
2020057951.tif 000008
【図７】
2020057951.tif 000009
【図８】
2020057951.tif 000010
【図９】
2020057951.tif 000011
【図１０】
2020057951.tif 000012
【図１１】
2020057951.tif 000013
【図１２】
2020057951.tif 000014